(57)【要約】【課題】簡単な構造で排水横管を斜めに取り付けることが可能な例えば集合住宅等の各戸排水で、衛生機器に接続される横枝分岐管と横枝主管との接続部を構成する排水管用分岐継手を提供する。【解決手段】卵形断面を有する細長い筒体６２とその長手方向に形成された矩形状の横窓６３を含む分岐本体６１と、横窓６３に装着される蓋部６５とそこから斜めに突出する枝管が接続される分岐管部６６を含むパッキング部材６４と、パッキング部材６４を分岐本体６１に締め付ける締結部材（Ｃ型バンド）６９とを有する。【選択図】        図２
2004190248.tif 000002
【特許請求の範囲】
【請求項１】
ビル・マンション・戸建て住宅等の排水設備配管の排水横管を構成する卵形断面を有する排水横主管と円形断面を有する排水横枝管とが合流する部分に接続される排水管用分岐継手において、前記排水横主管に接続される卵形断面を有する細長い筒体からなり、前記筒体はその長手方向に伸長する横窓を有し、前記横窓は前記排水横枝管との接合部を形成することを特徴とする排水管用分岐継手。
【請求項２】
卵形断面を有する細長い筒体とその長手方向に伸長する横窓を含む分岐本体と、前記横窓に装着される蓋部とそこから斜めに突出する分岐管が接続される分岐管部を含むパッキング部材と、前記パッキング部材を前記分岐本体に締め付ける締結部材とを有することを特徴とする排水管用分岐継手。
【請求項３】
前記締結部材は、前記パッキング部材を前記分岐本体に押し付けるカバーと前記カバーを前記本体に締め付けるＣ形バンドを含むことを特徴とする請求項２記載の排水管用分岐継手。
【請求項４】
前記分岐本体及び前記カバーはポリオレフィン系樹脂で形成されていることを特徴とする請求項２記載の排水管用分岐継手。
【請求項５】
卵形断面を有する排水管を保持する卵形断面を有しかつ内部が透視可能な窓部を有する本体と、前記本体を包むゴムパッキングと外周面に装着されるバンド部材からなることを特徴とする排水管用接続継手。
【請求項６】
前記本体はポリオレフィン系樹脂で形成されていることを特徴とする請求項２記載の排水管用接続継手
【請求項７】
請求項２記載の排水管用分岐継手の一方の端部に請求項５記載の排水管用分岐継手を介して卵形断面を有する排水横主管が接続され、前記排水管用分岐継手の他方の端部に前記排水管用接続継手を介して前記排水管用分岐継手が接続されると共に、前記分岐継手の分岐管部に円形断面を有する排水横枝管が接続されることを特徴とする排水管接合部。
【発明の詳細な説明】
【０００１】
【発明の属する技術分野】
本発明は、例えば集合住宅等の各戸排水で、衛生機器に接続される排水横枝管と排水横主管との接続部を構成する排水管用分岐継手及び排水管用接続継手、並びにこれらを用いて形成された排水管接合部に関する。
【０００２】
【従来の技術】
集合住宅では、各衛生機器からの排水は、例えば排水横枝管から塩化ビニール製継手により接続された排水横主管に集められ、単管式特殊継手から下水に流される。円形断面を有する塩化ビニール製継手は、円形断面を有する管路と接着剤により接続することが行われている。また各衛生機器から単独で配管を単管式特殊継手に併設された排水ヘッダーに排出する方式も採用されている。現行の排水配管では、排水管は円形断面を有しているが、例えば集合住宅では１００年を超える耐用年数が要求されつつあり、その要求を満足するためには、水廻りの配管を更新することが必要となる。しかして水廻り配管の更新の際に配管長さが長くなることがあり、それに伴い配管勾配（通常は、１／５０、１／７５、１／１００若しくはそれ以下）を大きく取れず、排水に混入した挟雑物により管路の閉塞を起こすことが懸念される。そこで、配管勾配が低くても高い排水能力を得るために、卵形断面を有する排水管の使用が提案されている。この卵形断面を有する排水管は、上部の曲率半径を下部の曲率半径よりも大きくすることにより、排水量が少量でも高い水頭が得られので、搬送能力が向上するという利点があり、下水道配管に適用されている。
【０００３】
卵形断面を有する排水管の高い搬送能力に注目して、これを便器やビルの排水システムに適用することが提案されている（特許文献１及び特許文献２参照）。特許文献１では、上部の曲率半径を下部の曲率半径よりも大きくした断面卵形形状をした排水横管に排水管継手を介して便器の排水口を接続することにより、通気管を配置することなく、排水トラップの被封を防止することが記載されている。この排水管継手は、弾性体で一体に成形され、円筒状の管本体部とその前端部に設けられた受け口部と管本体部の他方の端部に設けられた接続部を有し、受け口部には便器の排水口が嵌合され、接続部には排水横管が接続されている。また特許文献２には、ビルに施工される排水用床下配管構造において、床スラブ上に設けられる衛生器具に接続された床上排水横管と、その下流側に接続されたスラブ貫通縦管の下流側端部に接続され床スラブと階下の天井面との間に配設された床下排水横管を、上部の曲率半径を下部の曲率半径よりも大きくした断面卵形形状の排水横管とすることが記載されている。また特許文献３には、衛生機器からの排水を断面卵形形状の排水横主管を通して排出することが記載されている。
【０００４】
【特許文献１】
特開平１１−３２４０７７号（第３−４頁、図１、図３）
【特許文献２】
特開２００１−３２９５８７号（第４−６頁、図１、図２、図３）
【特許文献３】
特開２００２−２１１３５号（第５−６頁、図９、図１４、図１９）
【０００５】
【発明が解決しようとする課題】
集合住宅では、衛生機器からの排水は、特許文献３に記載されているように、卵形管を排水横主管に使用した場合は、各衛生機器からの排水は、通常断面円形の排水横枝管を断面卵形の排水横主管に合流する必要があり、特許文献１及び特許文献２に記載されたように一方の排水管に対して直角に他方の排水管を接続することになる。また断面卵形形状をした排水主管に穴を開けパッキングを装着してから分岐管を接続することも考えられるが、卵形断面形状を有する排水横主管には通常の穿孔機では円形穴しか開けられないので、排水横枝管を直角に取り付けることになる。しかるに卵形断面形状を有する排水管に対して直角に円形断面を有する排水管を接続すると、配管勾配を大きくしても合流部で排水に混入した挟雑物により管路の閉塞が生じやすくなる。管路の閉塞を防止するためには、本体に対して例えば４５°の角度を持って分岐口が形成された継手を使用すればよいが、このような複雑な構造の継手を、現実的な価格で、特許文献１に記載されているように全体を一体成形して製作することは極めて困難である。また、特許文献３の図１４に記載されている如く専用の横枝部材を排水横主管に接着する方法もあるが、排水横主管を１／２００の管勾配で配管した場合でも、排水立て管からの距離によって排水横主管に流入する排水横枝管の位置が上下するため管外形形状が卵形管に、この卵形形状に最適な部材を作製することは困難である。さらに、集合住宅の場合、特許文献２に記載されているように衛生機器に接続される横管を卵形断面形状とすることは、コスト的に無理である。
【０００６】
従来の継手には、次のような問題もある。塩化ビニール製継手と排水管とを接着剤で接合することは、施工が容易であるという利点はあるが、接着剤にはシックハウス症候群の原因となる化学物質が含まれる場合があるので、接着剤レスタイプの継手が望まれている。またリサイクル法の制定により建築資材及び機材のリサイクル化が重要となっているため、排水設備用配管の施工時に端材が発生しないことが望まれる。しかしながら従来の継手構造では、排水横主管である卵形管に排水横枝管である円形管が直角に流入するので、卵形管にホルソー等の穿孔機器により穴あけを行っており、端材の発生を伴わずに配管施工を行うことは無理である。
【０００７】
従って本発明の目的は、従来の排水管用分岐継手の問題点を解決し、簡単な構造で、排水横主管に対して排水横枝管を斜めに取り付けることが可能な排水管用分岐継手を提供することである。
本発明の他の目的は、人体への悪影響を伴わずにしかもリサイクル化に対応しうる施工が可能な排水管用分岐継手を提供することである。
本発明の他の目的は、卵形断面の排水主管を排水管用分岐継手に簡単にかつ強固に固定することができる排水管用接続継手を提供することである。
本発明の他の目的は、卵形断面形状を有する排水横主管と衛生機器に接続される円形断面を有する排水横枝管との合流部での閉塞を少なくできる排水管接合部を提供することである。
【０００８】
【課題を解決するための手段】
上記目的を達成するために、本発明の排水管用分岐継手は、ビル・マンション・戸建て住宅等の排水横管を構成する卵形断面を有する排水横主管と円形断面を有する排水横枝管とが合流する部分に接続される排水管用分岐継手において、前記排水横主管に接続される卵形断面を有する細長い筒体からなり、前記筒体はその長手方向に伸長する横窓を有し、前記横窓は前記排水横枝管との接合部を形成することを特徴とするものである。
本発明の排水管用分岐継手は、例えば、卵形断面を有する細長い筒体とその長手方向に伸長する横窓を含む分岐本体と、前記横窓に装着され蓋部とそこから斜めに突出する枝管が接続される分岐管部を含むパッキング部材と、前記パッキング部材を前記分岐本体に締め付ける締結部材とを有する構造とすることができる。
前記排水管用分岐継手において、前記締結部材は、前記パッキング部材を前記分岐本体に押し付けるカバーと前記カバーを前記本体に締め付けるＣ形バンドを含むことが好ましい。
前記排水管用分岐継手において、前記分岐本体及び前記カバーはポリオレフィン系樹脂で形成されていることが好ましい。
【０００９】
本発明の排水管用接続継手は、卵形断面形状を有する排水管を保持する卵形断面を有しかつ内部が透視可能な窓部を有する本体と、前記本体を包むゴムパッキングからなることを特徴とするものである。
【００１０】
前記排水管用接続継手において、前記本体はポリオレフィン系樹脂で形成されていることが好ましい。
【００１１】
本発明の排水用配管接合部は、前記排水管用分岐継手の一方の端部に前記排水管用分岐継手を介して卵形断面を有する排水横主管が接続され、前記排水管用分岐継手の他方の端部に前記排水管用接続継手を介して前記排水管用分岐継手が接続されると共に、前記分岐継手の分岐管部に円形断面を有する排水横分岐管が接続されることを特徴とするものである。
【００１２】
【発明の実施の形態】
以下、本発明の詳細を図面に基づいて説明する。図１は本発明が適用される集合住宅用配管システムを示す概略斜視図、図２は図１の排水横主管と排水横枝管との接合部を示す拡大図、図３は本発明の実施の形態に係わる排水管用分岐継手を示す分解斜視図、図４は本発明の実施の形態に係わる排水管用分岐継手を示す外観斜視図、図５は本発明の実施の形態に係わる排水管用分岐継手の一部を切り欠いた斜視図、図６は本発明の実施の形態に係わる透明窓付き接続継手を示す外観斜視図（ａ）及び同接続継手の一部を切り欠いた斜視図（ｂ）である。
【００１３】
図１に示す排水配管２は、集合住宅の床下１に敷設され、下水管（不図示）に連通する排水横主管３（以下横主管という）に接合部５を介して排水横枝管４（以下横枝管という）を接続して構成される。横主管３は、配管長さが長くなるので、搬送能力を高めるために、上部の曲率半径を下部の曲率半径よりも大きくした卵形断面を有する卵形管で形成される。横枝管４は、各衛生機器（不図示）に接続され、配管長さはそれ程長くないので、円形断面を有する円形管で形成される。排水配管２は、例えば、管勾配１／２００で敷設された管径８０Ａ、長さ１０ｍの横主管３に、各衛生機器からの排水が合流できるように最大傾斜角度４５°以下の範囲で横枝管４が斜めに接続されている。
【００１４】
接合部５は、図２に示すように、分岐継手６−１の両側に接続継手７（７−１、７−２）を装着し、接続継手７−１を主管３−１に接続すると共に、接続継手７−２に接続された分岐継手６−２を、接続継手７−３を介して主管３−２に接続し、排水管用分岐継手６−１及び６−２に、それぞれ分岐管４−１及び４−２を接続することにより形成される。
【００１５】
分岐継手６（６−１、６−２）は、図３に示すように、卵形断面形状を有する細長い卵形管部６２の側面に長手方向に伸びる矩形状の横窓６３が形成された分岐本体６１と、横窓６３をシールする蓋部６５とその表面から斜めに突き出す分岐部６６を有するパッキング６４と、分岐部６６が通り抜けられる楕円穴６８を有するカバー６７と、これらを一体化するＣ型バンド６９とで構成される。分岐継手６−１、６−２は、これらの部材を用いて図４及び図５に示すように組み立てられる。すなわち卵形管部６２の側面に形成された横窓６３にパッキング６４を装着し次いでカバー６７を被せた後、Ｃ型バンド６９の開放側端部を蓋部６５に係止することにより、接着剤を用いるまでも無く機械的に組み立てられる。また接合型の継手を形成できるので、配管施工に際しては、継手の穿孔に伴う端材の発生がなく、端材の発生を最小限にとどめることができる。また保守点検や配管の交換のために、接合部を解体する場合も、上記とは逆の順序で容易に継手を分解することができる。
【００１６】
上記分岐本体６１及びカバー６７は、価格的には塩化ビニール（ＰＶＣ）で形成すればよいが、燃焼廃却時の環境汚染を考慮すると、ポリプロピレン、ポリエチレンを含むポリオレフィン系樹脂で形成することが好ましい。パッキング６４は、例えばスチレン−ブタジェンゴム（ＳＢＲ）、ニトリルゴム（ＮＢＲ）等の合成ゴム材料で形成される。またパッキング６４の蓋部６５の内周面にリップ部を形成することにより、分岐本体６１の横窓６３との密着性が向上し、高いシール効果が得られる。パッキング６４においては、分岐部６６と蓋部６５との交差角度θ（図２参照）は、３０°以上、９０°未満の範囲がよく、特に３０°から６０°の範囲であれば、適切な配管勾配を選定することで、挟雑物による閉塞が殆ど生じない円滑な排水を行うことができる。
【００１７】
接続継手７は、図６（ａ）（ｂ）に示すように、卵形断面形状を有する排水管と分岐継手を接続するために、卵形断面を有しかつ内部を透視可能な窓部７４を有するガイドリング７２と、漏れをシールする弾性材（例えば合成ゴム）で形成されたシール部材７１と、シール部材７１と横主管３（図２参照）を固定する接続用バンド７３からなる。ガイドリング７２は、横主管３を保持するために横主管の外形形状と同一の内形形状を有するとともに、中央で主管３同士が当接するように端部から中央に向って若干の下り勾配（不図示）が付けられている。ガイドリング７２は、例えばポリプロピレン、ポリエチレンを含むポリオレフィン系樹脂、ポリアクリロニトリル系樹脂あるいはポリスチレン系樹脂のような透明もしくは半透明の材料で形成され、窓部７４から内部を透視できる。これにより、横主管３の差込長さを目視で確認することができる。特に地震で配管が揺れた場合でも、その安全性を容易に確認することができる。接続用バンド７３は、例えば、高い締め付け力が得られる鉄鋼材料で形成される。接続継手７は、排水横主管３と同一の内径を有するガイドリング７２を有するので、排水横主管３を強固に保持することができる。従って配管が接合部で曲がるのを防止することができる。
【００１８】
【発明の効果】
以上に記述のごとく本発明の排水管用分岐継手は、少数の部品を機械的に組合せて、円形断面を有する分岐管を、卵形断面を有する排水横主管に斜めから接続することができる。また本発明の排水管用接続継手は、少数の部品を機械的に組合せて、卵形断面を有する排水横主管を排水管用分岐継手に強固に組み込むことができる。したがって本発明の接合部は、これらの継手を用いて構成されているので、長い配管であっても、合流部での閉塞を伴わずに円滑な排水が可能となる。
【００１９】
さらに、本発明は、健康及び環境保護の観点からも有用な効果を有するものである。すなわち本発明の排水管用分岐継手及び接続継手は、接着剤を用いずに排水管と接続されるので、人体への悪影響を排除することができる。しかも継手の穴あけ加工を行わずに組み立てることが可能でまた分解も容易であるため、配管施工時あるいは保守点検時に発生する廃棄物が少なくなり、リサイクル化に対応することができる。さらに継手の主要部を、非塩化ビニール系樹脂で形成することが可能で、安全な焼却廃棄が可能となる。
【図面の簡単な説明】
【図１】本発明が適用される集合住宅用配管システムを示す概略斜視図である。
【図２】図１の排水横主管と排水横分岐管との接合部を示す拡大図である。
【図３】本発明の実施の形態に係わる排水管用分岐継手を示す分解斜視図である。
【図４】本発明の実施の形態に係わる排水管用分岐継手を示す外観斜視図である。
【図５】本発明の実施の形態に係わる排水管用分岐継手の一部を切り欠いた斜視図である。
【図６】本発明の実施の形態に係わる透明窓付き接続継手を示す外観斜視図（ａ）及び同接続継手の一部を切り欠いた斜視図（ｂ）である。
【符号の説明】
１：集合住宅
２：排水配管
３：排水横主管
４：排水横枝管
５：接合部
６，６−１、６−２：排水管用分岐継手
６１：分岐本体
６２：卵形管部
６３：横窓
６４：パッキング
６５：蓋部
６６：分岐部
６７：カバー
６８：穴
６９：Ｃ型バンド
７、７−１、７−２：接続継手
７１：シール部材
７２：ガイドリング
７３：接続用バンド
【図１】
2004190248.tif 000003
【図２】
2004190248.tif 000004
【図３】
2004190248.tif 000005
【図４】
2004190248.tif 000006
【図５】
2004190248.tif 000007
【図６】
2004190248.tif 000008